(57)【要約】【課題】ユーザによる音声入力と準備作業に対応した処理を容易に実行し、ユーザの入力操作の負担を軽減することを課題とする。【解決手段】音声を入力する音声入力部と、入力された音声を認識する音声認識部と、認識された音声から、所定のキーワードを取得するキーワード取得部と、ユーザが所望の機能を実行するために行う準備作業の状態を検出する準備作業検出部と、取得されたキーワードと、検出された準備作業の状態とに対応して、実行すべき処理を選択する処理選択部と、選択された処理を実行する処理実行部とを備えたことを特徴とする。【選択図】図３
2020123905.tif 000002
【特許請求の範囲】
【請求項１】
音声を入力する音声入力部と、
前記入力された音声を認識する音声認識部と、
前記認識された音声から、所定のキーワードを取得するキーワード取得部と、
ユーザが所望の機能を実行するために行う準備作業の状態を検出する準備作業検出部と、
前記取得されたキーワードと、前記検出された準備作業の状態とに対応して、実行すべき処理を選択する処理選択部と、
前記選択された処理を実行する処理実行部とを備えたことを特徴とする画像形成装置。
【請求項２】
前記認識された音声から取得されるキーワードと、ユーザによって行われる準備作業の状態と、実行すべき処理とを対応付けた処理選択情報を予め記憶した記憶部をさらに備え、
前記処理選択部が、前記処理選択情報を利用して、前記キーワード取得部によって取得されたキーワードに一致するキーワードと、前記準備作業検出部によって検出された準備作業の状態に一致する準備作業の状態とに対応付けられた実行すべき処理を選択することを特徴とする請求項１に記載の画像形成装置。
【請求項３】
表示部と、所定の情報を入力し前記入力された情報から画像情報を形成して出力する画像形成機能を実行する画像処理部をさらに備え、
前記選択される実行すべき処理には、所定の情報を前記表示部に表示すること、画像処理部が前記入力された情報から画像情報を形成し、形成された画像情報を印刷すること、形成された画像情報を外部記憶装置に保存すること、および、形成された画像情報を他の情報処理装置に送信することが含まれることを特徴とする請求項２に記載の画像形成装置。
【請求項４】
前記記憶部に、ファイル情報が記憶されている場合、
前記選択される実行すべき処理には、前記画像処理部によって、前記記憶されているファイル情報を印刷すること、前記ファイル情報を外部記憶装置に保存すること、および、前記ファイル情報を他の情報処理装置に送信することが含まれることを特徴とする請求項３に記載の画像形成装置。
【請求項５】
原稿を載置する載置台と、外部記憶装置を接続する接続端子とをさらに備え、
前記準備作業検出部には、前記原稿が載置台に載置されたか否かを検出する原稿検出部と、前記外部記憶装置が接続端子に接続されたか否かを検出する外部メモリ検出部とが含まれ、
前記準備作業の状態には、前記載置台に載置される原稿の有無と、前記接続端子に接続される外部記憶装置の有無とが含まれることを特徴とする請求項１に記載の画像形成装置。
【請求項６】
前記載置台に載置される原稿の有無と、前記接続端子に接続される外部記憶装置の有無に基づいて、前記処理選択部によって選択される実行すべき処理が異なることを特徴とする請求項５に記載の画像形成装置。
【請求項７】
前記キーワード取得部によって、印刷することを意味するキーワードが取得された場合において、前記載置台に原稿が載置されていることが検出された場合、
前記処理選択部が、実行すべき処理として、載置された原稿を印刷するか否かを問い合わせるメッセージを表示する処理と、原稿を印刷することが選択された場合にその原稿を印刷する処理を選択することを特徴とする請求項５に記載の画像形成装置。
【請求項８】
前記キーワード取得部によって、印刷することを意味するキーワードが取得された場合において、前記載置台に原稿が載置されていることと、前記接続端子に外部記憶装置が接続されていることが検出された場合、
前記処理選択部が、実行すべき処理として、載置された原稿を印刷することと、載置された原稿を読み取って外部記憶装置に保存することのどちらをするかを問い合わせるメッセージを表示する処理と、原稿を印刷または保存することが選択された場合にその原稿を印刷または保存する処理を選択することを特徴とする請求項５に記載の画像形成装置。
【請求項９】
前記キーワード取得部によって、保存することを意味するキーワードが取得された場合において、前記載置台に原稿が載置されていることと、前記接続端子に外部記憶装置が接続されていることが検出された場合、
前記処理選択部が、実行すべき処理として、載置された原稿を読み取って外部記憶装置に保存する処理を選択することを特徴とする請求項５に記載の画像形成装置。
【請求項１０】
画像形成装置の処理実行方法であって、
音声を入力するステップと、
前記入力された音声を認識するステップと、
前記認識された音声から、所定のキーワードを取得するステップと、
ユーザが所望の機能を実行するために画像形成装置に対して行う準備作業の状態を検出するステップと、
前記取得されたキーワードと、前記検出された準備作業の状態とに対応して、実行すべき処理を選択するステップと、
前記選択された処理を実行するステップとからなることを特徴とする画像形成装置の処理実行方法。
【請求項１１】
画像形成装置の処理実行方法であって、
画像形成装置に、認識音声から取得されるキーワードと、ユーザによって行われる準備作業の状態と、実行すべき処理とを対応付けた処理選択情報を予め記憶し、
音声を入力するステップと、
前記入力された音声を認識するステップと、
前記認識された音声から、画像形成装置に予め記憶されている予約単語に一致するキーワードを取得するステップと、
ユーザが所望の機能を実行するために画像形成装置に対して行う準備作業の状態を検出するステップと、
前記処理選択情報の中に、前記取得されたキーワードに一致するキーワードと、前記検出された準備作業の状態に一致する準備作業の状態とが存在する場合に、一致したキーワードと一致した準備作業の状態とに対応付けられた実行すべき処理を、前記処理選択情報の中から選択するステップと、
前記選択された処理を実行するステップとからなることを特徴とする画像形成装置の処理実行方法。
【発明の詳細な説明】
【技術分野】
【０００１】
この発明は、画像形成装置に関し、特に、入力音声と、画像形成装置に対する準備操作に基づいて、所定の対応付けられた処理を実行する画像形成装置に関する。
【背景技術】
【０００２】
従来から、画像形成装置が利用されているが、近年、書類の印刷機能や複製機能に加えて、書類の読取（スキャン）機能や、ファクシミリ機能、ネットワーク接続機能なども有する多機能な複合機が利用されている。
特に、スキャナで読み取った画像データ、パソコン等で作成された情報、サーバなどから取得した情報、USBメモリに記憶されている情報などが、ユーザの指定した用紙に印刷される。さらに、取得したこれらの情報を、用紙に印刷するだけでなく、USBメモリなどの外部の記憶媒体に保存したり、ファクシミリへ送信したり、パソコンやサーバに転送したりする機能を有するものもある。
このような多機能の中で所望の機能を実行する前に、ユーザは、その実行したい機能に対応して予め記憶されていた設定情報を読み出すか、あるいは、その機能をユーザが意図したように実行するために、設定項目ごとに所望の設定内容を選択する入力操作を行う場合がある。
【０００３】
また、音声を入力することにより、予め記憶された設定内容を読み出すことも行われている。
たとえば、特許文献１には、設定項目及び設定値の組合せにより設定された複数のジョブメモリを、予め記憶しておき、音声により入力された指示内容を音声認識し、認識した音声内容から生成した設定項目及び設定値の組合せと記憶されている各ジョブメモリとの類似度を評価し、類似度が一定以上のジョブメモリを抽出して、類似度の高いものから順番に複数のジョブメモリを表示し、表示された複数のジョブメモリのうち、ユーザが、１つのジョブメモリを選択することによって、ユーザの目的にあったジョブメモリを選択することが可能な情報処理装置が開示されている。
【先行技術文献】
【特許文献】
【０００４】
【特許文献１】特開２０１８−４６４１６号公報
【発明の概要】
【発明が解決しようとする課題】
【０００５】
しかし、上記した従来の技術では、音声を入力することにより、予め記憶された設定内容を読み出して表示させることができるが、読み出された設定内容でどのような処理を行わせるかは、ユーザが、所定の入力操作を行う必要があった。
また、たとえば、画像のコピーを行う場合、原稿台に載置された原稿のコピーを行う場合もあれば、接続したUSBメモリに記憶された画像データのコピーを行う場合、ユーザのパソコンやサーバから画像形成装置に転送しておいた画像データのコピーを行う場合などがあり、ユーザは、画像形成装置において、それぞれのコピーに対応した入力操作を行う必要があった。
【０００６】
また、画像形成装置が上記のような３種類のコピー機能を有している場合、ユーザが、単に、「コピー」とか、「印刷」というような曖昧な音声を入力しただけでは、上記の３種類のコピーのうち、どのコピー機能を実行するのかが不明確である場合があり、ユーザは、音声を入力しただけでは、所望のコピー機能を実行できず、所望のコピーに対応した入力操作を行う必要があった。
この入力操作は、画像形成装置が多機能になればなるほど、複雑で面倒な操作となり、所望の機能を実行できるようになるまでに時間がかかり、ユーザの操作負担が非常に大きかった。
また、たとえば、コピーすべき原稿が原稿台に載置されていない状態で、「コピー」というようにユーザが発話した原稿のコピーを実行させる音声が認識されたために、コピーが実行されると、無意味なコピー処理が実行されてしまう。
【０００７】
そこで、この発明は、以上のような事情を考慮してなされたものであり、ユーザによる音声入力と準備作業に対応した処理を容易に実行することができ、同じ音声が入力された場合でも、準備作業によって所望の異なる処理が実行でき、画像形成装置を利用するユーザの入力作業の容易化と時間短縮を図り、ユーザの入力操作の負担を軽減することのできる画像形成装置を提供することを課題とする。
【課題を解決するための手段】
【０００８】
この発明は、音声を入力する音声入力部と、前記入力された音声を認識する音声認識部と、前記認識された音声から、所定のキーワードを取得するキーワード取得部と、ユーザが所望の機能を実行するために行う準備作業の状態を検出する準備作業検出部と、前記取得されたキーワードと、前記検出された準備作業の状態とに対応して、実行すべき処理を選択する処理選択部と、前記選択された処理を実行する処理実行部とを備えたことを特徴とする画像形成装置を提供するものである。
【０００９】
また、前記認識された音声から取得されるキーワードと、ユーザによって行われる準備作業の状態と、実行すべき処理とを対応付けた処理選択情報を予め記憶した記憶部をさらに備え、前記処理選択部が、前記処理選択情報を利用して、前記キーワード取得部によって取得されたキーワードに一致するキーワードと、前記準備作業検出部によって検出された準備作業の状態に一致する準備作業の状態とに対応付けられた実行すべき処理を選択することを特徴とする。
【００１０】
また、表示部と、所定の情報を入力し前記入力された情報から画像情報を形成して出力する画像形成機能を実行する画像処理部をさらに備え、前記選択される実行すべき処理には、所定の情報を前記表示部に表示すること、画像処理部が前記入力された情報から画像情報を形成し、形成された画像情報を印刷すること、形成された画像情報を外部記憶装置に保存すること、および、形成された画像情報を他の情報処理装置に送信することが含まれることを特徴とする。
【００１１】
また、前記記憶部に、ファイル情報が記憶されている場合、前記選択される実行すべき処理には、前記画像処理部によって、前記記憶されているファイル情報を印刷すること、前記ファイル情報を外部記憶装置に保存すること、および、前記ファイル情報を他の情報処理装置に送信することが含まれることを特徴とする。
【００１２】
また、原稿を載置する載置台と、外部記憶装置を接続する接続端子とをさらに備え、前記準備作業検出部には、前記原稿が載置台に載置されたか否かを検出する原稿検出部と、前記外部記憶装置が接続端子に接続されたか否かを検出する外部メモリ検出部とが含まれ、前記準備作業の状態には、前記載置台に載置される原稿の有無と、前記接続端子に接続される外部記憶装置の有無とが含まれることを特徴とする。
【００１３】
また、前記載置台に載置される原稿の有無と、前記接続端子に接続される外部記憶装置の有無に基づいて、前記処理選択部によって選択される実行すべき処理が異なることを特徴とする。
【００１４】
また、前記キーワード取得部によって、印刷することを意味するキーワードが取得された場合において、前記載置台に原稿が載置されていることが検出された場合、前記処理選択部が、実行すべき処理として、載置された原稿を印刷するか否かを問い合わせるメッセージを表示する処理と、原稿を印刷することが選択された場合にその原稿を印刷する処理を選択することを特徴とする。
【００１５】
また、前記キーワード取得部によって、印刷することを意味するキーワードが取得された場合において、前記載置台に原稿が載置されていることと、前記接続端子に外部記憶装置が接続されていることが検出された場合、前記処理選択部が、実行すべき処理として、載置された原稿を印刷することと、載置された原稿を読み取って外部記憶装置に保存することのどちらをするかを問い合わせるメッセージを表示する処理と、原稿を印刷または保存することが選択された場合にその原稿を印刷または保存する処理を選択することを特徴とする。
【００１６】
また、前記キーワード取得部によって、保存することを意味するキーワードが取得された場合において、前記載置台に原稿が載置されていることと、前記接続端子に外部記憶装置が接続されていることが検出された場合、前記処理選択部が、実行すべき処理として、載置された原稿を読み取って外部記憶装置に保存する処理を選択することを特徴とする。
【００１７】
また、この発明は、画像形成装置の処理実行方法であって、音声を入力するステップと、前記入力された音声を認識するステップと、前記認識された音声から、所定のキーワードを取得するステップと、ユーザが所望の機能を実行するために画像形成装置に対して行う準備作業の状態を検出するステップと、前記取得されたキーワードと、前記検出された準備作業の状態とに対応して、実行すべき処理を選択するステップと、前記選択された処理を実行するステップとからなることを特徴とする画像形成装置の処理実行方法を提供するものである。
【００１８】
また、この発明は、画像形成装置の処理実行方法であって、画像形成装置に、認識音声から取得されるキーワードと、ユーザによって行われる準備作業の状態と、実行すべき処理とを対応付けた処理選択情報を予め記憶し、音声を入力するステップと、前記入力された音声を認識するステップと、前記認識された音声から、画像形成装置に予め記憶されている予約単語に一致するキーワードを取得するステップと、ユーザが所望の機能を実行するために画像形成装置に対して行う準備作業の状態を検出するステップと、前記処理選択情報の中に、前記取得されたキーワードに一致するキーワードと、前記検出された準備作業の状態に一致する準備作業の状態とが存在する場合に、一致したキーワードと一致した準備作業の状態とに対応付けられた実行すべき処理を、前記処理選択情報の中から選択するステップと、前記選択された処理を実行するステップとからなることを特徴とする画像形成装置の処理実行方法を提供するものである。
【発明の効果】
【００１９】
この発明によれば、入力された音声を認識する音声認識部と、認識された音声から、所定のキーワードを取得するキーワード取得部と、ユーザが所望の機能を実行するために行う準備作業の状態を検出する準備作業検出部と、取得されたキーワードと、検出された準備作業の状態とに対応して、実行すべき処理を選択する処理選択部と、選択された処理を実行する処理実行部とを備えているので、画像形成装置を利用するユーザの入力作業の容易化と時間短縮を図り、ユーザの入力操作の負担を軽減することができる。
【図面の簡単な説明】
【００２０】
【図１】この発明の画像形成装置の一実施例の構成ブロック図である。
【図２】この発明の画像形成装置の記憶部に記憶される情報の一実施例の説明図である。
【図３】この発明の画像形成装置の記憶部に記憶される処理選択情報の一実施例の説明図である。
【図４】この発明の画像形成装置の記憶部に記憶される処理選択情報の一実施例の説明図である。
【図５】この発明において、認識音声のキーワードと準備作業とに対応して、表示画面に表示される問合せメッセージの一実施例の説明図である。
【図６】この発明において、認識音声のキーワードと準備作業とに対応して、表示画面に表示される問合せメッセージの一実施例の説明図である。
【図７】この発明において、認識音声のキーワードと準備作業とに対応して、表示画面に表示される問合せメッセージの一実施例の説明図である。
【図８】この発明において、認識音声のキーワードと準備作業とに対応して、表示画面に表示される問合せメッセージの一実施例の説明図である。
【図９】この発明において、認識音声のキーワードと準備作業とに対応して、表示画面に表示される問合せメッセージの一実施例の説明図である。
【図１０】この発明において、認識音声のキーワードと準備作業とに対応して、表示画面に表示される問合せメッセージの一実施例の説明図である。
【図１１】この発明において、認識音声のキーワードと準備作業とに対応して、表示画面に表示される問合せメッセージの一実施例の説明図である。
【図１２】この発明において、認識音声のキーワードと準備作業とに対応して、表示画面に表示される問合せメッセージの一実施例の説明図である。
【図１３】この発明において、認識音声のキーワードと準備作業とに対応して、表示画面に表示される問合せメッセージの一実施例の説明図である。
【図１４】この発明において、認識音声のキーワードと準備作業とに対応して、表示画面に表示される問合せメッセージの一実施例の説明図である。
【図１５】この発明において、認識音声のキーワードと準備作業とに対応して、表示画面に表示される問合せメッセージの一実施例の説明図である。
【図１６】この発明において、入力音声と準備作業に対応して実行すべき処理を選択して実行する処理の一実施例のフローチャートである。
【発明を実施するための形態】
【００２１】
以下、図面を使用して本発明の実施の形態を説明する。なお、以下の実施例の記載によって、この発明が限定されるものではない。
この発明の画像形成装置は、画像形成装置本来の機能に加え、特に、音声入力機能と、音声認識機能を有し、ユーザが、所定のキーワードを含む音声を画像形成装置に対して発話することにより、所望の機能を実行させる。
また、音声入力をするとき又は所望の機能を実行させる前段階において、ユーザが行った準備作業の状況によって、その状況に適した異なる表示や処理を実行する。
【００２２】
以下に示すこの発明の実施形態は、画像形成装置に関するものであるが、画像形成装置の他にも、パソコン、携帯端末、情報通信装置、家電機器などの情報処理装置においても、適用することができる。
【００２３】
＜画像形成装置の構成＞
図１に、この発明の画像形成装置の一実施例の構成ブロック図を示す。
画像形成装置（以下、ＭＦＰ：Multifunction Peripheral、複合機とも呼ぶ）１は、画像データを処理する装置であり、たとえば、複写機能、印刷機能、原稿読取機能（スキャン機能）、原稿編集機能、ＦＡＸ機能、通信機能などを備えた電子機器である。
【００２４】
図１において、この発明の画像形成装置（ＭＦＰ）１は、主として、制御部１１、操作部１２、表示部１３、通信部１４、画像処理部１５、音声入力部２１、音声認識部２２、キーワード取得部２３、準備作業検出部３０、処理選択部２６、処理実行部２７、記憶部５０を備える。
また、準備作業検出部３０は、原稿検出部２４と、外部メモリ検出部２５からなる。
【００２５】
制御部１１は、操作部や音声認識部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の表示機能、音声認識機能、処理選択機能などを実行する。
【００２６】
また、上記構成要素のうち、音声認識部２２、キーワード取得部２３、処理選択部２６は、ＣＰＵが、所定のプログラムに基づいてそれぞれの処理を実行する機能ブロックである。
【００２７】
操作部１２は、画像形成装置の利用者が所定の入力操作をするための入力装置である。
たとえば、文字などの情報の入力や、機能の選択入力をする部分であり、キーボード、マウス、タッチパネルなどが用いられる。
また、たとえば、コピーなどを実行しようとするユーザは、操作部１２によって、コピーする枚数等の設定項目を入力し、あるいは、表示部に表示されるメッセージを確認して、タッチパネル等を利用して所定の入力操作をすることによって、コピーに必要な設定項目を選択入力する。
【００２８】
表示部１３は、情報を表示する部分であり、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部とタッチパネルとが重ね合わせて配置される。
表示部１３には、たとえば、画像形成装置の印刷機能や、原稿読取機能等を実行するのに必要な情報や設定項目、ユーザに対する問合せメッセージ、現在の動作状態を示す情報などが、文字、記号、画像、アイコン等を用いて、表示される。
【００２９】
通信部１４は、ネットワークを介して、サーバやユーザ所有のパソコンなど、他の情報通信機器と通信をする部分である。
たとえば、ネットワークに接続されたユーザ所有のパソコンから、画像データを受信する。また、画像形成装置で生成された画像データを、サーバに送信する。
ネットワークとしては、ＬＡＮ、インターネットなどのＷＡＮ、その他の専用回線などが利用され、通信形態は、有線通信と無線通信のどちらでもよい。
【００３０】
画像処理部１５は、画像形成装置本来の機能を実行する部分であり、所定の情報を入力し、入力された情報から画像情報を形成して出力する画像形成機能を実行する。
画像処理部１５は、主に、所定の画像情報を入力する画像入力部、入力された画像データを印刷等することのできる情報に変換したり印刷情報を形成したりする画像形成部、形成された印刷情報等を印刷用紙等に出力する画像出力部などからなる。
【００３１】
画像入力部は、画像情報を画像形成装置に入力する部分であり、たとえば、画像や文字図形等が記載された原稿などの情報を入力する。
画像入力部としては、情報が印刷された原稿を読み取るスキャナ（読取装置）を用いる。
また、画像形成装置には、読み取る原稿を載置する載置台が備えられ、載置台の所定の読み取り領域内に、原稿を載置する。
たとえば、印刷画像が記載された原稿が載置台に載置された場合、その原稿をスキャナで読み取り、印刷画像の電子データを、記憶部５０に記憶する。
原稿を読み取ること以外に、画像情報を入力する方法は種々の方法がある。
【００３２】
たとえば、ＵＳＢメモリやハードディスクなどの外部の記憶装置を接続するインタフェースが、画像入力部に該当する。
入力したい印刷画像などの電子データファイルを、ＵＳＢメモリなどの外部の記憶装置に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部５０に、電子データとして記憶してもよい。
【００３３】
また、インターネットなどのネットワークを介して、印刷画像を予め記憶したパソコンなどの情報処理装置やサーバに接続して、データ通信によって、印刷画像などを受信してもよい。さらに、通信機能を有するカメラで、印刷画像が記載された用紙を撮影し、無線通信によってカメラと接続し、撮影された印刷画像を受信してもよい。
また、画像形成装置は、画像情報の入力に関して、読み取る原稿が載置台に載置されたことを検出する光学センサや、ＵＳＢメモリ等の外部記憶装置が画像形成装置に接続されたことを検出する機構を有する。
【００３４】
画像形成部は、たとえば、画像データを記録用紙に印刷する場合、一般的に、帯電、露光、現像、転写、クリーニング、除電、及び定着の各工程を連続的に実施して、画像データを記録用紙に形成する。
現像工程では、トナーカートリッジからトナーを現像装置に補給し、帯電した感光体ドラムの表面に形成された静電潜像が現像され、静電潜像に対応したトナー像が形成される。
感光体ドラムの表面に形成されたトナー像は転写装置によって記録用紙上に転写され、その後、定着装置によって加熱されることにより記録用紙上に定着させられる。
【００３５】
画像出力部は、形成された画像データを出力する部分であり、たとえば、プリンタに相当し、所定の印刷用紙（紙媒体）に、編集後の印刷画像を、印刷して出力する。
ただし、画像データの出力は、印刷に限るものではなく、ＵＳＢメモリなどの外部の記憶装置への画像データの記憶や、インターネットなどのネットワークを介して他の情報処理装置やサーバへの画像データの送信でもよい。
画像出力処理は、後述する処理実行部２７によって行われる処理の１つである。
【００３６】
音声入力部２１は、音声を入力する部分であり、マイクに相当する。
ユーザは、実行したい処理を、マイクに向かって発話する。
たとえば、後述するように、コピーをしたい場合は、ユーザは、「コピー」、「印刷」、「プリント」、「コピーして」、「セットした原稿をコピー」、「USBメモリのデータを印刷したい」というように、マイクに向かって発話する。
マイク２１から入力された音声は、入力音声データ５１として、記憶部５０に記憶される。
マイク２１は、画像形成装置を利用するユーザが発話した場合に、その発話音声を入力できる位置、たとえば、載置台や操作部１２の近傍に取り付ければよい。
【００３７】
音声認識部２２は、入力された音声を認識し、入力音声に相当する文字情報を取得する部分である。
音声入力部２１によって入力された入力音声データ５１を分析し、入力音声の特徴を抽出して、入力音声を、対応する文字に変換する。
たとえば、「コピーして」という入力音声データ５１が入力された場合は、「コピーして」という文字情報が取得される。
取得された文字情報（認識された音声）は、認識音声情報５２として、記憶部５０に記憶される。
音声認識処理は、現在利用されている認識技術を利用すればよい。
【００３８】
キーワード取得部２３は、認識された音声である認識音声情報５２から、所定のキーワードを取得する部分である。
たとえば、画像形成装置を利用する場合に、発話される可能性の高い複数の単語（予約単語）を記憶部５０に予め記憶しておき、認識音声情報５２の中に、予約単語に一致することばが含まれている場合、その予約単語を、キーワードとして取得する。
認識音声情報から取得されたキーワードを、音声キーワードとも呼ぶ。
【００３９】
予約単語として、「コピー」が予め記憶されており、認識音声情報５２が、たとえば、「コピーして」という文字情報であった場合、「コピー」というキーワードが取得される。
あるいは、予約単語として、「コピー」、「セット」、および「原稿」が予め記憶されており、
認識音声情報５２が、「セットした原稿をコピー」という文字情報であった場合、「コピー」、「セット」、および「原稿」という３つのキーワードが取得される。
認識音声から取得したキーワードは、画像形成装置で実行すべき処理や、表示部に表示すべきメッセージを特定するために利用される。
【００４０】
準備作業検出部３０は、画像形成装置において、ユーザが所望の機能を実行するために、画像形成装置に対して行う準備作業の状態を検出する部分である。
準備作業検出部３０には、主に、原稿検出部２４と、外部メモリ検出部２５とが含まれる。
たとえば、ユーザが、画像形成装置のコピー機能を実行しようとする場合、通常、原稿を載置台に載置する操作を行うが、この原稿を載置台に載置する操作が、準備作業に相当する。この場合、準備作業の状態には、載置台に載置される原稿の有無、すなわち、原稿を載置台に載置している状態（原稿有り）と、原稿を載置台に載置していない状態（原稿無し）があり、いずれかの状態を検出する。
このような原稿の有無の検出は、原稿検出部２４によって行われる。
【００４１】
また、画像形成装置が、USBメモリなどの外部記憶装置を接続する接続端子を有している場合があるが、外部記憶装置に画像データを保存したり、外部記憶装置に記憶されている画像データを印刷したりする場合がある。
このように、ユーザが、外部記憶装置に対して、画像データの保存や印刷を実行しようとする場合、外部記憶装置を接続端子に接続する操作を行うが、この外部記憶装置を接続端子に接続する操作が、準備作業に相当する。
この場合、準備作業の状態には、接続端子に接続される外部記憶装置の有無、すなわち、外部記憶装置を接続端子に接続している状態（接続有り）と、外部記憶装置を接続端子に接続していない状態（接続無し）があり、いずれかの状態を検出する。
このような外部記憶装置の接続の有無の検出は、外部メモリ検出部２５によって行われる。
【００４２】
原稿検出部２４は、読み取る原稿の有無を検出する部分であり、情報が記載された原稿が、載置台に載置されたか否かを検出する。
たとえば、原稿検出部２４は、発光素子と受光素子からなる光センサであり、透明なガラスを有する載置台を挟んで、載置台の上方に発光素子を配置し、載置台の下方に受光素子を配置して、原稿を載置しないときに、発光素子から出射された光が、原稿を載置するガラス面を透過して受光素子に受光されるように、複数の光センサを設置する。
【００４３】
原稿が載置台に載置された場合は、原稿によって光が遮光され、光が受光素子に受光されないことで、載置台に原稿が載置されている状態であることを検出する。
一方、光が受光素子に受光されている場合は、載置台に、原稿が載置されていない状態であることが検出される。
原稿の検出の有無は、キーワードと同様に、画像形成装置で実行すべき処理や、表示部に表示すべきメッセージを特定するために利用される。
このように、ユーザが原稿を載置台に載置する操作は、ユーザが画像形成装置を利用する場合に行う画像形成装置に対する準備作業に相当する。
【００４４】
外部メモリ検出部２５は、情報を記憶する装置（外部記憶装置、または外部メモリと呼ぶ）が画像形成装置の接続端子に接続されたか否かを検出する部分である。
この検出をするために、画像形成装置は、外部記憶装置を接続する接続端子を備えているものとする。
ここで、外部メモリとは、所定の入出力インタフェースを持つ記憶装置であり、たとえば、USBインタフェースに対応した接続端子（USB接続端子）を持つUSBメモリ、ハードディスクなどの記憶装置が、外部メモリに相当する。
画像形成装置も、USBインタフェースに対応した接続端子を持つ場合に、USBメモリを画像形成装置に接続でき、USBメモリに対して、情報の読み書きができる。
【００４５】
USBメモリを画像形成装置に接続した場合、USBインタフェースに所定の電気信号が流れることにより、USBメモリが接続されたことが検出される。一方、この電気信号が流れないことを検出することにより、USBメモリが接続されていない状態であることが検出される。
USBメモリが接続された状態を、USBメモリ有りと呼び、USBメモリが接続されていない状態を、USBメモリ無しと呼ぶ。
外部メモリの検出の有無は、キーワードと同様に、画像形成装置で実行すべき処理や、表示部に表示すべきメッセージを特定するために利用される。
このように、ユーザが外部メモリを画像形成装置の接続端子に接続する操作は、ユーザが画像形成装置を利用する場合に行う画像形成装置に対する準備作業に相当する。
【００４６】
以下の実施例では、画像形成装置に対する準備作業としては、主として、原稿を載置台に載置する操作と、外部メモリであるUSBメモリを画像形成装置のUSB接続端子に接続する操作とがあるものとして説明する。
ただし、画像形成装置に対する準備作業は、この２つの操作に限るものではなく、たとえば、サーバから画像データを受信する操作、画像データを送信する宛先を入力する操作などが、画像形成装置に対する準備作業に相当する。
【００４７】
処理選択部２６は、画像形成装置において、次に実行すべき処理を選択する部分である。
ここでは、取得されたキーワードと、検出された画像形成装置に対する準備作業の状態とに対応して、実行すべき処理を選択する。
また、特に、後述するように、記憶部５０に予め記憶された処理選択情報５５を利用して、キーワード取得部２３によって取得されたキーワードに一致するキーワードと、準備作業検出部３０によって検出された画像形成装置に対する準備作業の状態（たとえば、原稿の有無、USBメモリの有無）に一致する準備作業の状態とに対応付けられた実行すべき処理を選択する。
この発明では、たとえば、載置台に載置される原稿の有無と、接続端子に接続される外部記憶装置（USBメモリ）の有無に基づいて、処理選択部２６によって選択される実行すべき処理が異なる。
【００４８】
処理選択部２６によって選択される実行すべき処理には、所定の情報を表示部に表示すること、画像処理部が入力された情報から画像情報を形成し、形成された画像情報を印刷すること、形成された画像情報を外部記憶装置に保存すること、および、形成された画像情報を他の情報処理装置に送信することなどが含まれる。
【００４９】
また、記憶部５０に、ファイル情報が記憶されている場合、選択される実行すべき処理には、画像処理部１５によって、記憶されているファイル情報を印刷すること、ファイル情報を外部記憶装置に保存すること、および、ファイル情報を他の情報処理装置に送信することなどが含まれる。
このファイル情報は、たとえば、サーバやユーザ所有のパソコンから送信されてきたドキュメントファイリングされたデータである。
【００５０】
たとえば、取得されたキーワードに、「コピー」、「セット」、「原稿」が含まれており、原稿が載置台に載置されている場合は、原稿のコピー処理が、実行すべき処理として選択される。
あるいは、取得されたキーワードに、「コピー」だけが含まれており、原稿が載置台に載置されている場合は、所定のメッセージを表示する処理が、実行すべき処理として選択される。
【００５１】
あるいは、キーワード取得部２３によって、印刷することを意味するキーワード（たとえば、コピー、プリント、印刷）が取得された場合において、載置台に原稿が載置されていることが検出された場合、処理選択部２６が、実行すべき処理として、載置された原稿を印刷するか否かを問い合わせるメッセージを表示する処理と、その後、原稿を印刷することが選択された場合にその原稿を印刷する処理を選択する。
この選択処理は、後述する図３のNo.２に相当する。
【００５２】
また、キーワード取得部２３によって、印刷することを意味するキーワードが取得された場合において、載置台に原稿が載置されていることと、接続端子に外部記憶装置が接続されていることが検出された場合、処理選択部２６が、実行すべき処理として、載置された原稿を印刷することと、載置された原稿を読み取って外部記憶装置に保存することのどちらをするかを問い合わせるメッセージを表示する処理と、原稿を印刷または保存することが選択された場合にその原稿を印刷または保存する処理を選択する。
この選択処理は、後述する図３のNo.１に相当する。
【００５３】
また、キーワード取得部２３によって、保存することを意味するキーワードが取得された場合において、載置台に原稿が載置されていることと、接続端子に外部記憶装置が接続されていることが検出された場合、処理選択部２６が、実行すべき処理として、載置された原稿を読み取って外部記憶装置に保存する処理を選択する。
この選択処理は、後述する図４のNo.１に相当する。
【００５４】
処理実行部２７は、画像形成装置が有する所定の機能を実行する部分である。特に、この発明では、上記した処理選択部２６によって選択された処理を実行する。
たとえば、画像形成装置を利用しに来たユーザが、コピー機能を実行させる所定の操作をした場合に、コピー機能を実行する。
あるいは、原稿を読み取り保存させるための所定の操作をした場合に、原稿をスキャンする機能と保存機能を実行する。
また、上記のように、メッセージを表示する処理や原稿を印刷する処理など、処理選択部２６によって選択された処理を実行する。
【００５５】
記憶部５０は、この発明の画像処理装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、入力音声データ５１、認識音声情報５２、取得キーワード５３、表示画面情報５４、処理選択情報５５などが記憶される。
【００５６】
入力音声データ５１は、音声入力部（マイク）２１によって入力された音声である。
マイクから入力されたアナログデータのまま記憶してもよいが、音声認識をするために、デジタル化した音声データを記憶することが望ましい。
図２に、記憶部５０に記憶される情報の一実施例の説明図を示す。
図２（a）は、ユーザが画像形成装置を利用する場合に、発話される可能性のある入力音声データ５１の一実施例を示したものである。ただし、これら以外の文章が、発話される可能性もある。
【００５７】
図２（a）では、「コピー」、「保存」というように、単純で曖昧な音声もあり、「セットした原稿を３部コピーして」というように、比較的処理内容が明確な音声もある。
たとえば、「コピー」というような音声が入力された場合、すなわち、ユーザが実行したい処理が曖昧な場合は、まず、ユーザに問い合わせるメッセージを表示させる処理を行い、ユーザがその問合せに対する選択入力を行った後に、ユーザが意図した処理を行わせるようにする。
一方、「セットした原稿を３部コピーして」というように、ユーザが意図した処理が明確な音声の場合は、ユーザに問い合わせるメッセージを表示させることなく、ユーザが意図した処理を実行する。
【００５８】
認識音声情報５２は、音声認識部２２によって、認識された音声（認識音声）であり、入力された音声を、文字情報に変換した情報である。
音声認識が正確に実施された場合は、入力音声データ５１と、認識された音声とは、同じ内容であり、図２（a）は、認識音声情報５２でもある。
【００５９】
取得キーワード５３は、認識音声に含まれるキーワードであって、キーワード取得部23によって取得されたキーワードである。
キーワードは、上記したように、記憶部５０に予め記憶された予約単語に一致する単語である。
図２（b）に、取得キーワード５３の一実施例を示す。
これらの取得キーワードは、記憶部５０に予め記憶された予約単語でもある。
【００６０】
予約単語は、図２（b）に示すものに限るものではなく、必要に応じて、ユーザや管理担当者が、発話される可能性のある単語を、記憶部５０に追加記憶してもよい。
また、図２では、入力音声データ５１、認識音声情報５２、取得キーワード５３、予約単語として、日本語の文章や単語を示しているが、日本語に限るものではなく、英語などの外国語の音声を入力し、認識し、外国語の予約単語を記憶し、外国語のキーワードを取得するようにしてもよい。
【００６１】
表示画面情報５４は、表示部１３に表示される定型的な情報内容を予め記憶したものである。
たとえば、取得されたキーワードと、画像形成装置に対する準備作業に対応付けられた処理として、ユーザに問い合わせる表示をすることが選択された場合に、表示部１３の表示画面に表示すべき内容が、表示画面情報５４に相当する。
後述する図５などに、ユーザに問合わせをするために、表示部１３の表示画面に表示すべき表示画面情報５４に相当する問合せメッセージの一実施例を示す。
【００６２】
処理選択情報５５は、入力音声から取得されるキーワードと、ユーザによって行われる画像形成装置に対する準備作業の状態と、画像形成装置で実行すべき処理とを対応付けて予め記憶した情報である。
この処理選択情報５５を利用して、処理選択部２６が、次に実行すべき処理を選択する。
図３と図４に、記憶部５０に記憶される処理選択情報５５の一実施例の説明図を示す。
図３と図４において、画像形成装置の操作状態が、画像形成装置に対する準備作業に相当し、ここでは、操作状態として、原稿の有無と、USBメモリの有無を示している。
図３と図４の音声キーワードが、入力音声から取得されたキーワードに相当する。
また、実行すべき処理内容として、表示と、その他の処理とを分けて示している。
【００６３】
図３と図４において、取得されたキーワードと画像形成装置に対する準備作業との組合せが、処理選択情報５５に存在する場合、その組合せに対応付けられた実行すべき処理内容が、次に実行すべき処理として選択される。
【００６４】
図３に示したように、取得された音声キーワードが１つであり、画像形成装置の操作状態を考慮しても、表示以外の実行すべき処理が特定できない場合や、ユーザに問い合わせたほうがよい場合は、所定の問合せメッセージを表示させる表示処理が選択される。
ユーザが、表示された問合せメッセージを確認し、所定の入力操作が行われて、実行すべき処理が確定した場合に、実行すべき処理内容の「処理」欄に記載された処理が実行される。
【００６５】
図４では、取得されたキーワードと画像形成装置に対する準備作業との組合せが、処理選択情報５５に存在する場合、その組合せに対応付けられた実行すべき処理内容として、表示がなく、表示以外の処理が選択される場合を示している。
ここでは、図４に示したキーワードが音声入力され、図４に示した操作状態であれば、問合せメッセージを表示することなく、対応する処理が実行される。
【００６６】
＜選択される表示と処理の実施例＞
ここでは、図３と図４に示した処理選択情報５５を利用して、取得されたキーワード（音声キーワード）と画像形成装置に対する準備作業（画像形成装置の操作状態）に基づいて、選択される表示と処理の実施例について、説明する。
画像形成装置の操作状態は、上記したように、原稿の有無と、USBメモリの有無であるが、これらに限るものではない。
【００６７】
（実施例１）
図３の処理選択情報５５において、NO.１では、音声キーワードが「コピー」であり、画像形成装置の操作状態が、原稿有りでUSBメモリ有りの場合、実行すべき処理内容として、問合せメッセージ０１を表示させ、その後、コピー処理または保存処理のいずれかを実行することが選択される。
音声キーワードが「コピー」である場合とは、図２（a）に示したように、入力音声データ（認識音声情報）が、たとえば、「コピー」、「コピーしたい」というような発話であり、発話内容に、「コピー」という単語が含まれる場合に相当する。
【００６８】
操作状態が「原稿有り」の場合、原稿検出部２４によって、原稿が載置台に載置されていることが検出された状態であることを意味する。
また、操作状態が「USBメモリ有り」の場合、外部メモリ検出部２５によって、USBメモリがUSB接続端子に接続されていることが検出された状態であることを意味する。
このような音声キーワードと操作状態の条件が満たされている場合、図３の処理選択情報５５のNO.１に相当するので、問合せメッセージ０１を表示させる。
【００６９】
図５に、認識音声のキーワードと準備作業とに対応して、表示画面に表示される問合せメッセージ０１の一実施例を示す。
図５では、認識音声のキーワードが、「コピー」であり、原稿の有無が、「原稿有り」であり、USBメモリ有りの有無が、「USBメモリ有り」である場合、図５に示すような問合せメッセージ０１が、表示画面に表示されることを示している。
この場合、ユーザが意図している処理は、コピーであることが明確であるが、原稿が載置されていて、さらに、USBメモリが接続されている状態なので、原稿をコピーするだけなのか、あるいは、原稿を読み取った後に読み取った原稿の画像データをUSBメモリに保存するのかが不明である。
【００７０】
そこで、どちらの処理を行えばよいのかを確定するために、たとえば、図５のような問合せメッセージ０１を表示させる。
図５の問合せメッセージ０１では、「セットされている原稿をコピーしますか？」と、「原稿をスキャンしてUSBメモリに保存しますか？」という文章を表示している。また、処理の選択肢として、原稿のコピーを意味する「コピー」と、読み取った原稿の画像データをUSBメモリに保存することを意味する「保存」と、処理を中止することを意味する「キャンセル」とを表示している。
【００７１】
ユーザが、この問合せメッセージ０１を確認して、３つの選択肢のうち、いずれかの処理を選択する入力をした場合、実行すべき処理が確定される。
「コピー」が選択された場合、原稿のコピー、すなわち、原稿をスキャンして所定の用紙に印刷する処理が実行される。
「保存」が選択された場合、原稿のUSBメモリへの保存、すなわち、原稿をスキャンして読み取った画像データを、USBメモリに保存する処理が実行される。
【００７２】
このように、入力された音声が曖昧なものであっても、その音声に含まれるキーワードと、原稿の載置とUSBメモリの接続というユーザの行った操作状態に基づいて、対応する適切な問合せメッセージを表示させるので、ユーザは、音声入力を含む入力操作をやり直すことなく、表示された選択肢の中から、処理を選択する操作をするだけで、ユーザの意図した処理を実行させることができ、ユーザの入力操作にかかる負担を軽減できる。
【００７３】
（実施例２）
図３の処理選択情報５５において、NO.２では、音声キーワードが「コピー」であり、画像形成装置の操作状態が、原稿有りでUSBメモリ無しの場合、実行すべき処理内容として、問合せメッセージ０２を表示させ、その後、コピー処理を実行することが選択される。
【００７４】
操作状態が「原稿有り」なので、原稿が載置台に載置されていることが検出された状態である。
また、操作状態が「USBメモリ無し」の場合、外部メモリ検出部２５によって、USBメモリがUSB接続端子に接続されていないことが検出された状態であることを意味する。
すなわち、原稿が載置台に載置され、USBメモリが接続されていない状態で、ユーザが、「コピー」を含む音声を発話した場合に相当する。
このような音声キーワードと操作状態の条件が満たされている場合、図３の処理選択情報５５のNO.２に相当するので、問合せメッセージ０２を表示させる。
【００７５】
図６に、認識音声のキーワードと準備作業とに対応して、表示画面に表示される問合せメッセージ０２の一実施例を示す。
図６では、認識音声のキーワードが、「コピー」であり、原稿の有無が、「原稿有り」であり、USBメモリ有りの有無が、「USBメモリ無し」である場合、図６に示すような問合せメッセージ０２が、表示画面に表示されることを示している。
この場合、ユーザが意図している処理は、コピーであることが明確であり、原稿が載置されていて、さらに、USBメモリが接続されていない状態なので、ユーザは、載置された原稿をコピーしようとしている可能性が高い。
【００７６】
そこで、原稿をコピーしようとしているのか否かをユーザに確認するために、たとえば、図６のような問合せメッセージ０２を表示させる。
図６の問合せメッセージ０２では、「セットされている原稿をコピーしますか？」という文章を表示している。また、処理の選択肢として、原稿のコピーを実行させることを意味する「はい」と、原稿のコピーを実行しないことを意味する「いいえ」を表示している。
【００７７】
ユーザが、この問合せメッセージ０２を確認して、２つの選択肢のうち、いずれかの処理を選択する入力をした場合、実行すべき処理が確定される。
「はい」が選択された場合、原稿のコピー、すなわち、原稿をスキャンして所定の用紙に印刷する処理が実行される。
「いいえ」が選択された場合、原稿のコピーは行わずに、たとえば、画像形成装置の初期画面や、音声入力を待機していることを示す画面などに切り替える。
【００７８】
このように、入力された音声が曖昧なものであっても、その音声に含まれるキーワードと、原稿の載置とUSBメモリの未接続というユーザの行った操作状態に基づいて、対応する適切な問合せメッセージを表示させるので、ユーザは、音声入力を含む入力操作をやり直すことなく、表示された選択肢の中から、処理を選択する操作をするだけで、ユーザの意図した処理を実行させることができ、ユーザの入力操作にかかる負担を軽減できる。
【００７９】
（実施例３）
図３の処理選択情報５５において、NO.３では、音声キーワードが「コピー」であり、画像形成装置の操作状態が、原稿無しでUSBメモリ有りの場合、実行すべき処理内容として、問合せメッセージ０３を表示させ、その後、印刷処理または保存処理のいずれかを実行することが選択される。
【００８０】
操作状態が「原稿無し」なので、原稿が載置台に載置されていないことが検出された状態である。
また、操作状態が「USBメモリ有り」なので、USBメモリがUSB接続端子に接続されていることが検出された状態である。
すなわち、原稿が載置台に載置されておらず、USBメモリが接続されている状態で、ユーザが、「コピー」を含む音声を発話した場合に相当する。
このような音声キーワードと操作状態の条件が満たされている場合、図３の処理選択情報５５のNO.３に相当するので、問合せメッセージ０３を表示させる。
ただし、ここでは、サーバやパソコンから送信された情報（ドキュメントファイリングデータ）が、記憶部５０に予め記憶されているものとする。
【００８１】
図７に、認識音声のキーワードと準備作業とに対応して、表示画面に表示される問合せメッセージ０３の一実施例を示す。
図７では、認識音声のキーワードが、「コピー」であり、原稿の有無が、「原稿無し」であり、USBメモリ有りの有無が、「USBメモリ有り」である場合、図７に示すような問合せメッセージ０３が、表示画面に表示されることを示している。
この場合、ユーザが意図している処理は、コピーであることが明確であり、原稿が載置されていないが、USBメモリが接続されている状態で、ドキュメントファイリングデータが記憶部５０に記憶されているので、ユーザは、記憶部５０に記憶されているドキュメントファイリングデータを印刷するか、あるいは、ドキュメントファイリングデータをUSBメモリに保存しようとしている可能性が高い。しかし、ユーザが、印刷と保存のどちらの処理を実行させることを意図しているのかが不明である。
【００８２】
そこで、どちらの処理を行えばよいのかを確定するために、たとえば、図７のような問合せメッセージ０３を表示させる。
図７の問合せメッセージ０３では、「ドキュメントファイリングしたデータを印刷しますか？」という文章と、「それとも、USBメモリに保存しますか？」という文章とを表示している。
また、処理の選択肢として、データの印刷を実行させることを意味する「印刷」と、データをUSBメモリに保存することを意味する「保存」と、処理を中止することを意味する「キャンセル」とを表示している。
【００８３】
ユーザが、この問合せメッセージ０３を確認して、３つの選択肢のうち、いずれかの処理を選択する入力をした場合、実行すべき処理が確定される。
「印刷」が選択された場合、ドキュメントファイリングデータを所定の用紙に印刷する処理が実行される。
「保存」が選択された場合、ドキュメントファイリングデータを、USBメモリに保存する処理が実行される。
【００８４】
また、認識音声のキーワードが、「コピー」であり、原稿の有無が、「原稿無し」であり、USBメモリ有りの有無が、「USBメモリ有り」である場合であって、ドキュメントファイリングデータが記憶部５０に記憶されていない場合、認識音声は「コピー」であるが、ユーザは、「コピー」を印刷の意味で使用していたとすれば、USBメモリに保存されているデータを印刷しようとしている可能性がある。
【００８５】
この場合、たとえば、図１５に示すように、「USBメモリに保存されたデータを印刷しますか？」という文章と、「印刷する場合は、データを選択してください。」という文章とからなる問合せメッセージ１１を表示し、さらに、処理の選択肢として、印刷するデータを選択させることを意味する「データ選択」と、処理を中止することを意味する「いいえ」とを表示する。
「データ選択」が選択入力された場合は、USBメモリに保存されたデータの名称を読み出してデータの名称を一覧表示させ、ユーザが印刷するデータを選択した場合には、そのデータをUSBメモリから読み出して印刷を実行すればよい。
【００８６】
（実施例４）
図３の処理選択情報５５において、NO.４では、音声キーワードが「コピー」であり、画像形成装置の操作状態が、原稿無しでUSBメモリ無しの場合、実行すべき処理内容として、問合せメッセージ０４を表示させ、その後、印刷処理を実行することが選択される。
【００８７】
操作状態が「原稿無し」なので、原稿が載置台に載置されていないことが検出された状態である。
また、操作状態が「USBメモリ無し」なので、USBメモリがUSB接続端子に接続されていないことが検出された状態である。
すなわち、原稿が載置台に載置されておらず、USBメモリが接続されていない状態で、ユーザが、「コピー」を含む音声を発話した場合に相当する。
このような音声キーワードと操作状態の条件が満たされている場合、図３の処理選択情報５５のNO.４に相当するので、問合せメッセージ０４を表示させる。
ただし、ここでは、サーバやパソコンから送信された情報（ドキュメントファイリングデータ）が、記憶部５０に予め記憶されているものとする。
【００８８】
図８に、認識音声のキーワードと準備作業とに対応して、表示画面に表示される問合せメッセージ０４の一実施例を示す。
図８では、認識音声のキーワードが、「コピー」であり、原稿の有無が、「原稿無し」であり、USBメモリ有りの有無が、「USBメモリ無し」である場合、図８に示すような問合せメッセージ０４が、表示画面に表示されることを示している。
この場合、ユーザが意図している処理は、コピーであることが明確であり、原稿が載置されておらず、USBメモリが接続されていない状態で、ドキュメントファイリングデータが記憶部５０に記憶されているので、ユーザは、記憶部５０に記憶されているドキュメントファイリングデータを印刷しようとしている可能性が高い。
【００８９】
そこで、ドキュメントファイリングデータを印刷しようとしているのか否かをユーザに確認するために、たとえば、図８のような問合せメッセージ０４を表示させる。
図８の問合せメッセージ０４では、「ドキュメントファイリングしたデータを印刷しますか？」という文章を表示している。また、処理の選択肢として、データの印刷を実行させることを意味する「はい」と、データの印刷を実行しないことを意味する「いいえ」を表示している。
【００９０】
ユーザが、この問合せメッセージ０４を確認して、２つの選択肢のうち、いずれかの処理を選択する入力をした場合、実行すべき処理が確定される。
「はい」が選択された場合、ドキュメントファイリングしたデータを、所定の用紙に印刷する処理が実行される。
「いいえ」が選択された場合、データの印刷は行わずに、たとえば、画像形成装置の初期画面や、音声入力を待機していることを示す画面などに切り替える。
【００９１】
（実施例５）
図３の処理選択情報５５において、NO.５では、音声キーワードが「保存」であり、画像形成装置の操作状態が、原稿有りでUSBメモリ有りの場合、実行すべき処理内容として、問合せメッセージ０５を表示させ、その後、スキャン処理と保存処理を実行することが選択される。
音声キーワードが「保存」である場合とは、図２（a）に示したように、入力音声データ（認識音声情報）が、たとえば、「保存」、「保存して」というような発話であり、発話内容に、「保存」という単語が含まれる場合に相当する。
【００９２】
操作状態が「原稿有り」の場合、原稿が載置台に載置されていることが検出された状態である。
また、操作状態が「USBメモリ有り」の場合、USBメモリがUSB接続端子に接続されていることが検出された状態である。
このような音声キーワードと操作状態の条件が満たされている場合、図３の処理選択情報５５のNO.５に相当するので、問合せメッセージ０５を表示させる。
【００９３】
図９に、認識音声のキーワードと準備作業とに対応して、表示画面に表示される問合せメッセージ０５の一実施例を示す。
図９では、認識音声のキーワードが、「保存」であり、原稿の有無が、「原稿有り」であり、USBメモリ有りの有無が、「USBメモリ有り」である場合、図９に示すような問合せメッセージ０５が、表示画面に表示されることを示している。
この場合、ユーザが意図している処理は、保存であることが明確であり、原稿が載置されていて、さらに、USBメモリが接続されている状態なので、原稿を読み取った後に読み取った原稿の画像データをUSBメモリに保存することを意図している可能性が高い。
【００９４】
そこで、原稿の画像データをUSBメモリに保存する処理を行うのか否かをユーザに確認するために、たとえば、図９のような問合せメッセージ０５を表示させる。
図９の問合せメッセージ０５では、「セットされている原稿をUSBメモリに保存してもよいですか？」という文章を表示している。
また、処理の選択肢として、読み取った原稿の画像データをUSBメモリに保存することを意味する「はい」と、処理を中止することを意味する「いいえ」とを表示している。
【００９５】
ユーザが、この問合せメッセージ０５を確認して、２つの選択肢のうち、いずれかの処理を選択する入力をした場合、実行すべき処理が確定される。
「はい」が選択された場合、原稿のUSBメモリへの保存、すなわち、原稿をスキャンして読み取った画像データを、USBメモリに保存する処理が実行される。
「いいえ」が選択された場合、処理が中止され、USBメモリへの保存は行わずに、たとえば、画像形成装置の初期画面や、音声入力を待機していることを示す画面などに切り替える。
【００９６】
（実施例６）
図３の処理選択情報５５において、NO.６では、音声キーワードが「保存」であり、画像形成装置の操作状態が、原稿有りでUSBメモリ無しの場合、実行すべき処理内容として、問合せメッセージ０６を表示させ、その後、スキャン処理と保存処理を実行することが選択される。
【００９７】
操作状態が「原稿有り」の場合、原稿が載置台に載置されていることが検出された状態である。
また、操作状態が「USBメモリ無し」の場合、USBメモリがUSB接続端子に接続されていないことが検出された状態である。
このような音声キーワードと操作状態の条件が満たされている場合、図３の処理選択情報５５のNO.６に相当するので、問合せメッセージ０６を表示させる。
【００９８】
図１０に、認識音声のキーワードと準備作業とに対応して、表示画面に表示される問合せメッセージ０６の一実施例を示す。
図１０では、認識音声のキーワードが、「保存」であり、原稿の有無が、「原稿有り」であり、USBメモリ有りの有無が、「USBメモリ無し」である場合、図１０に示すような問合せメッセージ０６が、表示画面に表示されることを示している。
この場合、ユーザが意図している処理は、保存であることが明確であり、原稿が載置されているが、USBメモリが接続されていない状態なので、原稿を読み取った後に読み取った原稿の画像データをどこに保存するのかが不明である。
たとえば、画像形成装置の記憶部に保存するのか、USBメモリに保存するのか、あるいは、サーバに保存するのかが不明である。
【００９９】
そこで、原稿の画像データの保存先をユーザに確認するために、たとえば、図１０のような問合せメッセージ０６を表示させる。
図１０の問合せメッセージ０６では、「セットされている原稿の保存先を選択しますか？」という文章を表示している。
また、処理の選択肢として、保存先を選択することを意味する「保存先の選択」と、処理を中止することを意味する「いいえ」とを表示している。
【０１００】
ユーザが、この問合せメッセージ０６を確認して、２つの選択肢のうち、いずれかの処理を選択する入力をした場合、実行すべき処理が確定される。
「保存先の選択」が選択された場合、さらに、保存先を選択するための画面を表示して、ユーザに、保存先を選択する入力、あるいは、保存先を設定する入力をしてもらい、保存先が確定された後、原稿をスキャンし、読み取った原稿の画像データを、確定された保存先に保存する処理が実行される。
「いいえ」が選択された場合、処理が中止され、原稿のスキャンと保存は行わずに、たとえば、画像形成装置の初期画面や、音声入力を待機していることを示す画面などに切り替える。
【０１０１】
（実施例７）
図３の処理選択情報５５において、NO.７では、音声キーワードが「保存」であり、画像形成装置の操作状態が、原稿無しでUSBメモリ有りの場合、実行すべき処理内容として、問合せメッセージ０７を表示させ、その後、スキャン処理と保存処理を実行することが選択される。
【０１０２】
操作状態が「原稿無し」の場合、原稿が載置台に載置されていないことが検出された状態である。
また、操作状態が「USBメモリ有り」の場合、USBメモリがUSB接続端子に接続されていることが検出された状態である。
このような音声キーワードと操作状態の条件が満たされている場合、図３の処理選択情報５５のNO.７に相当するので、問合せメッセージ０７を表示させる。
【０１０３】
図１１に、認識音声のキーワードと準備作業とに対応して、表示画面に表示される問合せメッセージ０７の一実施例を示す。
図１１では、認識音声のキーワードが、「保存」であり、原稿の有無が、「原稿無し」であり、USBメモリ有りの有無が、「USBメモリ有り」である場合、図１１に示すような問合せメッセージ０７が、表示画面に表示されることを示している。
この場合、ユーザが意図している処理は、保存であることが明確であるが、原稿が載置されておらず、USBメモリが接続されている状態なので、保存する原稿がないために保存処理を実行することができず、原稿をUSBメモリに保存することをユーザが意図している可能性があるが、「保存」という音声だけでは、実行すべき処理が確定できない。
【０１０４】
そこで、原稿が載置されていないことをユーザに注意喚起し、原稿を載置した後画像データをUSBメモリに保存すべきか否かをユーザに確認するために、たとえば、図１１のような問合せメッセージ０７を表示させる。
図１１の問合せメッセージ０７では、「原稿がセットされていませんので、原稿をセットしてください。」という文章と、「原稿をセットした後、原稿をUSBメモリに保存してもよいですか？」という文章を表示している。
また、処理の選択肢として、保存してもよいことを意味する「はい」と、処理を中止することを意味する「いいえ」とを表示している。
【０１０５】
ユーザが、この問合せメッセージ０７を確認して、２つの選択肢のうち、いずれかの処理を選択する入力をした場合、実行すべき処理が確定される。
「はい」が選択された場合、ユーザは、原稿を載置台に載置する操作をする。
あるいは、ユーザは、原稿を載置台に載置した後に、「はい」を選択する入力操作をする。
画像形成装置では、「はい」が選択されたことと、原稿を載置台に載置されたことが検出された場合、原稿をスキャンし、読み取った原稿の画像データをUSBメモリに保存する処理が実行される。
「いいえ」が選択された場合、処理が中止され、原稿のスキャンと保存は行わずに、たとえば、画像形成装置の初期画面や、音声入力を待機していることを示す画面などに切り替える。
【０１０６】
（実施例８）
図３の処理選択情報５５において、NO.８では、音声キーワードが「保存」であり、画像形成装置の操作状態が、原稿無しでUSBメモリ無しの場合、実行すべき処理内容として、問合せメッセージ０８を表示させ、その後、スキャン処理と保存処理を実行することが選択される。
【０１０７】
操作状態が「原稿無し」の場合、原稿が載置台に載置されていないことが検出された状態である。
また、操作状態が「USBメモリ無し」の場合、USBメモリがUSB接続端子に接続されていないことが検出された状態である。
このような音声キーワードと操作状態の条件が満たされている場合、図３の処理選択情報５５のNO.８に相当するので、問合せメッセージ０８を表示させる。
【０１０８】
図１２に、認識音声のキーワードと準備作業とに対応して、表示画面に表示される問合せメッセージ０８の一実施例を示す。
図１２では、認識音声のキーワードが、「保存」であり、原稿の有無が、「原稿無し」であり、USBメモリ有りの有無が、「USBメモリ無し」である場合、図１２に示すような問合せメッセージ０８が、表示画面に表示されることを示している。
この場合、ユーザが意図している処理は、保存であることが明確であるが、原稿が載置されておらず、USBメモリも接続されていない状態なので、保存する原稿がないために保存処理を実行することができず、原稿をどこに保存するのかも不明である。
【０１０９】
そこで、原稿が載置されていないことをユーザに注意喚起し、原稿を載置した後画像データをどこに保存すべきなのかをユーザに確認するために、たとえば、図１２のような問合せメッセージ０８を表示させる。
図１２の問合せメッセージ０８では、「原稿がセットされていませんので、原稿をセットしてください。」という文章と、「原稿をセットした後、原稿の保存先を選択しますか？」という文章を表示している。
また、処理の選択肢として、保存先を選択するための「保存先の選択」と、処理を中止することを意味する「いいえ」とを表示している。
【０１１０】
ユーザが、この問合せメッセージ０８を確認して、２つの選択肢のうち、いずれかの処理を選択する入力をした場合、実行すべき処理が確定される。
「保存先の選択」が選択された場合、ユーザは、原稿を載置台に載置する操作をする。
あるいは、ユーザは、原稿を載置台に載置した後に、「保存先の選択」を選択する入力操作をする。
画像形成装置では、「保存先の選択」が選択されたことと、原稿を載置台に載置されたことが検出された場合、保存先を選択するための画面を表示して、ユーザに、保存先を選択する入力、あるいは、保存先を設定する入力をしてもらい、保存先が確定された後、原稿をスキャンし、読み取った原稿の画像データを、確定された保存先に保存する処理が実行される。
「いいえ」が選択された場合、処理が中止され、原稿のスキャンと保存は行わずに、たとえば、画像形成装置の初期画面や、音声入力を待機していることを示す画面などに切り替える。
【０１１１】
（実施例９）
図３の処理選択情報５５において、NO.９では、音声キーワードが「スキャン」であり、画像形成装置の操作状態が、原稿有りでUSBメモリ有りの場合、実行すべき処理内容として、実施例５と同様に、問合せメッセージ０５を表示させ、その後、スキャン処理と保存処理を実行することが選択される。
音声キーワードが「スキャン」である場合とは、図２（a）に示したように、入力音声データ（認識音声情報）が、たとえば、「スキャン」、「スキャンしたい」というような発話であり、発話内容に、「スキャン」という単語が含まれる場合に相当する。
【０１１２】
操作状態が「原稿有り」の場合、原稿が載置台に載置されていることが検出された状態である。
また、操作状態が「USBメモリ有り」の場合、USBメモリがUSB接続端子に接続されていることが検出された状態である。
このような音声キーワードと操作状態の条件が満たされている場合、図３の処理選択情報５５のNO.９に相当するので、問合せメッセージ０５を表示させる。
【０１１３】
この場合、ユーザが意図している処理は、スキャンであることが明確であり、原稿が載置されていて、さらに、USBメモリが接続されている状態なので、原稿をスキャンした後に読み取った原稿の画像データをUSBメモリに保存することを意図している可能性が高い。
すなわち、実施例９では、実施例５の認識音声のキーワードが「保存」であり、原稿の有無が「原稿有り」であり、USBメモリ有りの有無が「USBメモリ有り」である場合とほぼ同様の処理をすることを、ユーザが意図している可能性が高い。
【０１１４】
そこで、原稿の画像データをUSBメモリに保存する処理を行うのか否かをユーザに確認するために、実施例５と同様に、たとえば、図９のような問合せメッセージ０５を表示させる。
さらに、ユーザが、この問合せメッセージ０５を確認して、２つの選択肢のうち、いずれかの処理を選択する入力をした場合、実行すべき処理が確定される。
「はい」が選択された場合、原稿をスキャンして読み取った画像データを、USBメモリに保存する処理が実行される。
「いいえ」が選択された場合、処理が中止され、画像形成装置の初期画面や、音声入力を待機していることを示す画面などに切り替える。
【０１１５】
（実施例１０）
図３の処理選択情報５５において、NO.１０では、音声キーワードが「スキャン」であり、画像形成装置の操作状態が、原稿有りでUSBメモリ無しの場合、実行すべき処理内容として、実施例６と同様に、問合せメッセージ０６を表示させ、その後、スキャン処理と保存処理を実行することが選択される。
【０１１６】
操作状態が「原稿有り」の場合、原稿が載置台に載置されていることが検出された状態である。
また、操作状態が「USBメモリ無し」の場合、USBメモリがUSB接続端子に接続されていないことが検出された状態である。
このような音声キーワードと操作状態の条件が満たされている場合、図３の処理選択情報５５のNO.１０に相当するので、問合せメッセージ０６を表示させる。
【０１１７】
この場合、ユーザが意図している処理は、スキャンであることが明確であり、原稿が載置されているが、USBメモリが接続されていない状態なので、原稿をスキャンした後に読み取った原稿の画像データをどこに保存するのかが不明である。
たとえば、画像形成装置の記憶部に保存するのか、USBメモリに保存するのか、あるいは、サーバに保存するのかが不明である。
すなわち、実施例１０では、実施例６の認識音声のキーワードが「保存」であり、原稿の有無が「原稿有り」であり、USBメモリ有りの有無が「USBメモリ無し」である場合とほぼ同様の処理をすることを、ユーザが意図している可能性が高い。
【０１１８】
そこで、原稿の画像データの保存先をユーザに確認するために、実施例６と同様に、たとえば、図１０のような問合せメッセージ０６を表示させる。
さらに、ユーザが、この問合せメッセージ０６を確認して、２つの選択肢のうち、いずれかの処理を選択する入力をした場合、実行すべき処理が確定される。
「保存先の選択」が選択された場合、さらに、保存先を選択するための画面を表示して、ユーザに、保存先を選択する入力、あるいは、保存先を設定する入力をしてもらい、保存先が確定された後、原稿をスキャンし、読み取った原稿の画像データを、確定された保存先に保存する処理が実行される。
「いいえ」が選択された場合、処理が中止され、たとえば、画像形成装置の初期画面や、音声入力を待機していることを示す画面などに切り替える。
【０１１９】
（実施例１１）
図３の処理選択情報５５において、NO.１１では、音声キーワードが「ファックス」であり、画像形成装置の操作状態が、原稿有りでUSBメモリ無しの場合、実行すべき処理内容として、問合せメッセージ０９を表示させ、その後、ファックス処理を実行することが選択される。
【０１２０】
操作状態が「原稿有り」の場合、原稿が載置台に載置されていることが検出された状態である。
また、操作状態が「USBメモリ無し」の場合、USBメモリがUSB接続端子に接続されていないことが検出された状態である。
このような音声キーワードと操作状態の条件が満たされている場合、図３の処理選択情報５５のNO.１１に相当するので、問合せメッセージ０９を表示させる。
【０１２１】
図１３に、認識音声のキーワードと準備作業とに対応して、表示画面に表示される問合せメッセージ０９の一実施例を示す。
図１３では、認識音声のキーワードが、「ファックス」であり、原稿の有無が、「原稿有り」であり、USBメモリ有りの有無が、「USBメモリ無し」である場合、図１３に示すような問合せメッセージ０９が、表示画面に表示されることを示している。
【０１２２】
この場合、ユーザが意図している処理は、ファックスであることが明確であり、原稿が載置されている状態なので、原稿をスキャンした後に読み取った原稿の画像データをファックス送信することを意図しているが、どこにファックスするのかが不明である。
すなわち、ファックスする宛先が不明である。
【０１２３】
そこで、原稿をファックスする宛先をユーザに確認するために、たとえば、図１３のような問合せメッセージ０９を表示させる。
図１３の問合せメッセージ０９では、「セットされている原稿をファックスする宛先を選択しますか？」という文章を表示している。
また、処理の選択肢として、宛先を選択することを意味する「宛先の選択」と、処理を中止することを意味する「いいえ」とを表示している。
【０１２４】
ユーザが、この問合せメッセージ０９を確認して、２つの選択肢のうち、いずれかの処理を選択する入力をした場合、実行すべき処理が確定される。
「宛先の選択」が選択された場合、さらに、ファックスする宛先を選択するための画面を表示して、ユーザに、宛先を選択する入力、あるいは、宛先を設定する入力をしてもらい、宛先が確定された後、原稿をスキャンし、読み取った原稿の画像データを、確定された宛先にファックスする処理が実行される。
「いいえ」が選択された場合、処理が中止され、原稿のファックスは行わずに、たとえば、画像形成装置の初期画面や、音声入力を待機していることを示す画面などに切り替える。
【０１２５】
（実施例１２）
図３の処理選択情報５５において、NO.１２では、音声キーワードが「ファックス」であり、画像形成装置の操作状態が、原稿無しでUSBメモリ無しの場合、実行すべき処理内容として、問合せメッセージ１０を表示させ、その後、ファックス処理を実行することが選択される。
【０１２６】
操作状態が「原稿無し」の場合、原稿が載置台に載置されていないことが検出された状態である。
また、操作状態が「USBメモリ無し」の場合、USBメモリがUSB接続端子に接続されていないことが検出された状態である。
このような音声キーワードと操作状態の条件が満たされている場合、図３の処理選択情報５５のNO.１２に相当するので、問合せメッセージ１０を表示させる。
【０１２７】
図１４に、認識音声のキーワードと準備作業とに対応して、表示画面に表示される問合せメッセージ１０の一実施例を示す。
図１４では、認識音声のキーワードが、「ファックス」であり、原稿の有無が、「原稿無し」であり、USBメモリ有りの有無が、「USBメモリ無し」である場合、図１４に示すような問合せメッセージ１０が、表示画面に表示されることを示している。
この場合、ユーザが意図している処理は、ファックスであることが明確であるが、原稿が載置されておらず、USBメモリも接続されていない状態なので、ファックスする原稿がないためにファックス処理を実行することができず、原稿をどこにファックス送信するのかも不明である。
【０１２８】
そこで、原稿が載置されていないことをユーザに注意喚起し、原稿を載置した後画像データをどこにファックスすべきなのかをユーザに確認するために、たとえば、図１４のような問合せメッセージ１０を表示させる。
図１４の問合せメッセージ１０では、「原稿がセットされていませんので、原稿をセットしてください。」という文章と、「原稿をセットした後、原稿をファックスする宛先を選択しますか？」という文章を表示している。
また、処理の選択肢として、宛先を選択するための「宛先の選択」と、処理を中止することを意味する「いいえ」とを表示している。
【０１２９】
ユーザが、この問合せメッセージ１０を確認して、２つの選択肢のうち、いずれかの処理を選択する入力をした場合、実行すべき処理が確定される。
「宛先の選択」が選択された場合、ユーザは、原稿を載置台に載置する操作をする。
あるいは、ユーザは、原稿を載置台に載置した後に、「宛先の選択」を選択する入力操作をする。
画像形成装置では、「宛先の選択」が選択されたことと、原稿を載置台に載置されたことが検出された場合、宛先を選択するための画面を表示して、ユーザに、宛先を選択する入力、あるいは、宛先を設定する入力をしてもらい、宛先が確定された後、原稿をスキャンし、読み取った原稿の画像データを、確定された宛先にファックスする処理が実行される。
「いいえ」が選択された場合、処理が中止され、原稿のファックスは行わずに、たとえば、画像形成装置の初期画面や、音声入力を待機していることを示す画面などに切り替える。
【０１３０】
（実施例１３）
図４の処理選択情報５５において、NO.１では、音声キーワードが「保存」であり、画像形成装置の操作状態が、原稿有りでUSBメモリ有りの場合、実行すべき処理内容として、メッセージの表示はせずに、スキャン処理と保存処理を実行することが選択されることを示している。
この音声キーワード「保存」と、画像形成装置の操作状態（原稿有り、USBメモリ有り）は、上記した実施例５と同じ条件である、
【０１３１】
実施例５では、原稿をUSBメモリに保存するか否かを確認するメッセージを表示させて、ユーザに確認を求めた。
ただし、ユーザが、原稿を載置台に載置して、USBメモリをUSB接続端子に接続した後、「保存」ということばを発話した場合、確認するメッセージを表示させるまでもなく、原稿をUSBメモリに保存する処理をすることを意図している可能性がかなり高いとも言える。
【０１３２】
そこで、実施例１３のように、実行すべき処理内容として、メッセージの表示はせずに、スキャン処理と保存処理を実行してもよい。
実施例５のように、確認するメッセージを表示させた後に保存処理等を実行するか、あるいは、実施例１３のように、確認するメッセージを表示させないで保存処理等を実行するかについては、事前に、ユーザや画像形成装置の管理担当者が、予め設定しておけばよい。
【０１３３】
実施例１３の場合は、音声キーワードとして「保存」が取得され、画像形成装置の操作状態として、原稿有りとUSBメモリ有りが検出された状態で、載置された原稿をスキャンする処理と、原稿をスキャンして読み取った画像データを、USBメモリに保存する処理が実行される。
【０１３４】
このように、入力された音声が曖昧なものであっても、その音声に含まれるキーワードと、原稿の載置とUSBメモリの接続というユーザの行った操作状態に基づいて、メッセージを表示することなく、対応する適切な処理が実行されるので、ユーザは、音声入力と、原稿をUSBメモリに保存させるときに通常行う操作（原稿の載置、USBメモリの接続）を行うだけで、迅速に、ユーザの意図した処理を実行させることができ、ユーザの入力作業の容易化と時間短縮を図り、ユーザの入力操作にかかる負担を軽減できる。
【０１３５】
また、図４の処理選択情報５５のNO.２では、音声キーワードが「スキャン」であり、画像形成装置の操作状態が、原稿有りでUSBメモリ有りの場合、実行すべき処理内容として、メッセージの表示はせずに、スキャン処理と保存処理を実行することが選択されることを示している。
この音声キーワード「スキャン」と、画像形成装置の操作状態（原稿有り、USBメモリ有り）は、上記した実施例９と同じ条件である、
【０１３６】
実施例９では、原稿をUSBメモリに保存するか否かを確認するメッセージを表示させて、ユーザに確認を求めた。
ただし、ユーザが、原稿を載置台に載置して、USBメモリをUSB接続端子に接続した後、「スキャン」ということばを発話した場合、確認するメッセージを表示させるまでもなく、原稿をスキャンした後、スキャンした原稿の画像データをUSBメモリに保存する処理をすることを意図している可能性がかなり高いとも言える。
【０１３７】
そこで、図４の処理選択情報５５のNO.２でも、図４の処理選択情報５５のNO.１と同様に、実行すべき処理内容として、メッセージの表示はせずに、スキャン処理と保存処理を実行してもよい。
この場合も、実施例９のように表示させた後に保存処理等を実行するか、あるいは、実施例１３のように表示をさせないで保存処理等を実行するかについては、事前に、ユーザや画像形成装置の管理担当者が、予め設定しておけばよい。
図４の処理選択情報５５のNO.２の場合は、音声キーワードとして「スキャン」が取得され、画像形成装置の操作状態として、原稿有りとUSBメモリ有りが検出された状態で、載置された原稿をスキャンする処理と、原稿をスキャンして読み取った画像データを、USBメモリに保存する処理が実行される。
【０１３８】
（実施例１４）
図４の処理選択情報５５において、NO.３では、取得した音声キーワードに、「セット」、「原稿」、「コピー」の３つのキーワードが含まれている場合を示している。
さらに、画像形成装置の操作状態が、原稿有りでUSBメモリ無しの場合で、実行すべき処理内容として、メッセージの表示はせずに、コピー処理を実行することが選択されることを示している。
【０１３９】
操作状態が「原稿有り」なので、原稿が載置台に載置されていることが検出された状態である。
また、操作状態が「USBメモリ無し」なので、USBメモリがUSB接続端子に接続されていないことが検出された状態である。
すなわち、原稿が載置台に載置され、USBメモリが接続されていない状態で、ユーザが、「セット」、「原稿」、「コピー」の３つのキーワードを含む音声を発話した場合に相当する。
たとえば、図２（a）に示したように、「セットした原稿をコピー」、あるいは、「セットした原稿を３部コピーして」というような発話がされた場合に相当する。
このような音声キーワードと操作状態の条件が満たされている場合、図４の処理選択情報５５のNO.３に相当するので、問合せメッセージを表示することなく、コピー処理を実行する。
【０１４０】
たとえば、「セットした原稿をコピー」というように発話された場合に、原稿が載置台に載置されていることが検出され、USBメモリが接続されていないことも検出された場合は、載置台に載置されている原稿をコピーすることが、ユーザが意図している処理である可能性がかなり高いので、確認するメッセージを表示させるまでもなく、原稿のコピー処理を実行してもよいと考えられる。
【０１４１】
そこで、原稿をコピーしようとしているのか否かをユーザに確認することなく、載置台に載置されている原稿のコピーを実行する。
すなわち、実施例１４の場合は、音声キーワードとして「セット」、「原稿」、「コピー」の３つのキーワードが取得され、画像形成装置の操作状態として、原稿有りとUSBメモリ無しが検出された状態で、載置された原稿を所定の用紙にコピーする処理が実行される。
【０１４２】
このように、入力された音声が比較的明確な処理を示すものである場合、その音声に含まれるキーワードと、原稿の載置とUSBメモリを接続しないというユーザの行った操作状態に基づいて、メッセージを表示することなく、対応する適切な処理が実行されるので、ユーザは、音声入力と、原稿をコピーさせるときに通常行う操作（原稿の載置）を行うだけで、迅速に、ユーザの意図した処理を実行させることができ、ユーザの入力作業の容易化と時間短縮を図り、ユーザの入力操作にかかる負担を軽減できる。
【０１４３】
また、図４の処理選択情報５５のNO.４では、取得した音声キーワードに、「セット」、「原稿」、「印刷」の３つのキーワードが含まれており、画像形成装置の操作状態が、原稿有りでUSBメモリ無しの場合には、実行すべき処理内容として、メッセージの表示はせずに、コピー処理を実行することが選択されることを示している。
この図４のNO.４では、「印刷」のキーワードが含まれていることが、「コピー」のキーワードが含まれている図４のNO.３と異なる点である。
【０１４４】
この場合も、原稿が載置台に載置されていることが検出され、USBメモリがUSB接続端子に接続されていないことが検出された状態であるので、「印刷」と発話されているが、ユーザは、「印刷」ということばを「コピー」の意味で使用し、載置台に載置されている原稿をコピーすることが、ユーザが意図している処理である可能性がかなり高い。
したがって、確認するメッセージを表示させるまでもなく、原稿のコピー処理を実行してもよいと考えられる。
【０１４５】
そこで、原稿をコピーしようとしているのか否かをユーザに確認することなく、載置台に載置されている原稿のコピーを実行する。
すなわち、図４の処理選択情報５５のNO.４の場合も、音声キーワードとして「セット」、「原稿」、「印刷」の３つのキーワードが取得され、画像形成装置の操作状態として、原稿有りとUSBメモリ無しが検出された状態で、載置された原稿を所定の用紙にコピーする処理が実行される。
【０１４６】
（実施例１５）
図４の処理選択情報５５において、NO.５では、取得した音声キーワードに、「セット」、「原稿」、「コピー」の３つのキーワードが含まれている場合を示している。
さらに、画像形成装置の操作状態が、原稿有りでUSBメモリ有りの場合で、実行すべき処理内容として、メッセージの表示はせずに、コピー処理と保存処理を実行することが選択されることを示している。
【０１４７】
操作状態が「原稿有り」なので、原稿が載置台に載置されていることが検出された状態である。
また、操作状態が「USBメモリ有り」なので、USBメモリがUSB接続端子に接続されていることが検出された状態である。
すなわち、原稿が載置台に載置され、USBメモリが接続されている状態で、ユーザが、「セット」、「原稿」、「コピー」の３つのキーワードを含む音声を発話した場合に相当する。
たとえば、図２（a）に示したように、「セットした原稿をコピー」、あるいは、「セットした原稿を３部コピーして」というような発話がされた場合に相当する。
このような音声キーワードと操作状態の条件が満たされている場合、図４の処理選択情報５５のNO.５に相当するので、問合せメッセージを表示することなく、載置された原稿のコピー処理を実行し、かつ、載置された原稿をUSBメモリに保存する処理を実行する。
【０１４８】
たとえば、「セットした原稿をコピー」というように発話された場合に、原稿が載置台に載置されていることが検出され、USBメモリが接続されていることも検出された場合は、載置台に載置されている原稿をコピーすることが、ユーザが意図した処理である可能性がかなり高く、さらに、載置されている原稿をUSBメモリに保存することも意図した処理である可能性があるので、確認するメッセージを表示させるまでもなく、原稿のコピー処理と、原稿のUSBメモリへの保存処理を実行してもよいと考えられる。
【０１４９】
そこで、原稿のコピーとUSBメモリへの保存をしようとしているのか否かをユーザに確認することなく、載置台に載置されている原稿のコピーと、原稿をUSBメモリに保存する処理を実行する。
すなわち、実施例１５の場合は、音声キーワードとして「セット」、「原稿」、「コピー」の３つのキーワードが取得され、画像形成装置の操作状態として、原稿有りとUSBメモリ有りが検出された状態で、載置された原稿を所定の用紙にコピーする処理と、載置された原稿をスキャンしてUSBメモリに保存する処理が実行される。
【０１５０】
このように、入力された音声が比較的明確な処理を示すものである場合、その音声に含まれるキーワードと、原稿の載置とUSBメモリの接続というユーザの行った操作状態に基づいて、メッセージを表示することなく、対応する適切な処理が実行されるので、ユーザは、音声入力と、原稿のコピーとUSBメモリに保存させるときに通常行う操作（原稿の載置、USBメモリの接続）を行うだけで、迅速に、ユーザの意図した処理を実行させることができ、ユーザの入力作業の容易化と時間短縮を図り、ユーザの入力操作にかかる負担を軽減できる。
【０１５１】
（実施例１６）
図４の処理選択情報５５において、NO.６では、取得した音声キーワードに、「セット」、「原稿」、「保存」の３つのキーワードが含まれている場合を示している。
さらに、画像形成装置の操作状態が、原稿有りでUSBメモリ有りの場合で、実行すべき処理内容として、メッセージの表示はせずに、スキャン処理と保存処理を実行することが選択されることを示している。
【０１５２】
操作状態が「原稿有り」なので、原稿が載置台に載置されていることが検出された状態である。
また、操作状態が「USBメモリ有り」なので、USBメモリがUSB接続端子に接続されていることが検出された状態である。
すなわち、原稿が載置台に載置され、USBメモリが接続されている状態で、ユーザが、「セット」、「原稿」、「保存」の３つのキーワードを含む音声を発話した場合に相当する。
たとえば、図２（a）に示したように、「セットした原稿を保存」というような発話がされた場合に相当する。
このような音声キーワードと操作状態の条件が満たされている場合、図４の処理選択情報５５のNO.６に相当するので、問合せメッセージを表示することなく、載置された原稿のスキャン処理を実行し、かつ、載置された原稿をUSBメモリに保存する処理を実行する。
【０１５３】
たとえば、「セットした原稿を保存」というように発話された場合に、原稿が載置台に載置されていることが検出され、USBメモリが接続されていることも検出された場合は、載置台に載置されている原稿をUSBメモリに保存することが、ユーザが意図した処理である可能性がかなり高いので、確認するメッセージを表示させるまでもなく、原稿のスキャン処理と、原稿のUSBメモリへの保存処理を実行してもよいと考えられる。
【０１５４】
そこで、原稿のUSBメモリへの保存をしようとしているのか否かをユーザに確認することなく、載置台に載置されている原稿のスキャン処理と、原稿をUSBメモリに保存する処理を実行する。
すなわち、実施例１６の場合は、音声キーワードとして「セット」、「原稿」、「保存」の３つのキーワードが取得され、画像形成装置の操作状態として、原稿有りとUSBメモリ有りが検出された状態で、載置された原稿を所定の用紙にスキャンする処理と、載置された原稿をUSBメモリに保存する処理が実行される。
【０１５５】
また、図４の処理選択情報５５のNO.７では、取得した音声キーワードに、「セット」、「原稿」、「スキャン」の３つのキーワードが含まれ、さらに、画像形成装置の操作状態が、原稿有りでUSBメモリ有りの場合においては、実行すべき処理内容として、メッセージの表示はせずに、スキャン処理と保存処理を実行することが選択されることを示している。
この図４のNO.7では、「スキャン」のキーワードが含まれていることが、「保存」のキーワードが含まれている図４のNO.６と異なる点である。
【０１５６】
この場合も、原稿が載置台に載置されていることが検出され、USBメモリがUSB接続端子に接続されていることが検出された状態であるので、「スキャン」と発話されているが、ユーザは、「スキャン」ということばを「保存」の意味で使用し、載置台に載置されている原稿をUSBメモリに保存することが、ユーザが意図している処理である可能性がかなり高い。
したがって、確認するメッセージを表示させるまでもなく、原稿をスキャンした後USBメモリに保存する処理を実行してもよいと考えられる。
【０１５７】
そこで、原稿をUSBメモリに保存しようとしているのか否かをユーザに確認することなく、載置台に載置されている原稿のスキャンとUSBメモリへの保存処理を実行する。
すなわち、図４の処理選択情報５５のNO.７の場合も、音声キーワードとして「セット」、「原稿」、「スキャン」の３つのキーワードが取得され、画像形成装置の操作状態として、原稿有りとUSBメモリ有りが検出された状態で、載置された原稿を所定の用紙にスキャンする処理と、載置された原稿をUSBメモリに保存する処理が実行される。
【０１５８】
（実施例１７）
図４の処理選択情報５５において、NO.８では、取得した音声キーワードに、「USBメモリ」と「印刷」の２つのキーワードが含まれている場合を示している。
さらに、画像形成装置の操作状態が、原稿無しでUSBメモリ有りの場合で、実行すべき処理内容として、メッセージの表示はせずに、印刷処理を実行することが選択されることを示している。
【０１５９】
操作状態が「原稿無し」なので、原稿が載置台に載置されていないことが検出された状態である。
また、操作状態が「USBメモリ有り」なので、USBメモリがUSB接続端子に接続されていることが検出された状態である。
すなわち、原稿が載置台に載置されず、USBメモリが接続されている状態で、ユーザが、「USBメモリ」、「印刷」の２つのキーワードを含む音声を発話した場合に相当する。
たとえば、図２（a）に示したように、「USBメモリのデータを印刷して」というような発話がされた場合に相当する。
このような音声キーワードと操作状態の条件が満たされている場合、図４の処理選択情報５５のNO.８に相当するので、問合せメッセージを表示することなく、USBメモリのデータを読み出して、印刷処理を実行する。
【０１６０】
たとえば、「USBメモリのデータを印刷して」というように発話された場合に、原稿が載置台に載置されていないことが検出され、USBメモリが接続されていることが検出された場合は、USBメモリに保存されているデータを印刷するすることが、ユーザが意図した処理である可能性がかなり高いので、確認するメッセージを表示させるまでもなく、USBメモリからデータを読み出して、そのデータを印刷する処理を実行してもよいと考えられる。
ただし、USBメモリには、多数のデータが保存されている場合もあるが、確認するメッセージを表示させずにデータの印刷を行うのは、USBメモリに１つのデータだけが保存されている場合に限定してもよい。
【０１６１】
そこで、USBメモリのデータを印刷しようとしているのか否かをユーザに確認することなく、USBメモリに保存されていたデータを印刷する処理を実行する。
すなわち、実施例１７の場合は、音声キーワードとして「USBメモリ」、「印刷」の２つのキーワードが取得され、画像形成装置の操作状態として、原稿無しとUSBメモリ有りが検出された状態で、USBメモリに保存されていたデータを読み出して、所定の用紙に印刷する処理が実行される。
ただし、USBメモリに複数のデータが保存されている場合は、ユーザに印刷するデータを選択させるメッセージを表示することが好ましい。
【０１６２】
（実施例１８）
図４の処理選択情報５５において、NO.９では、取得した音声キーワードに、「ドキュメント」と、「印刷」の２つのキーワードが含まれている場合を示している。
さらに、画像形成装置の操作状態が、原稿無しでUSBメモリ無しの場合で、実行すべき処理内容として、メッセージの表示はせずに、印刷処理を実行することが選択されることを示している。
【０１６３】
操作状態が「原稿無し」なので、原稿が載置台に載置されていないことが検出された状態である。
また、操作状態が「USBメモリ無し」なので、USBメモリがUSB接続端子に接続されていないことが検出された状態である。
すなわち、原稿が載置台に載置されず、USBメモリが接続されていない状態で、ユーザが、「ドキュメント」、「印刷」の２つのキーワードを含む音声を発話した場合に相当する。
【０１６４】
たとえば、図２（a）に示したように、「ドキュメントファイリングのデータを印刷して」というような発話がされた場合に相当する。
このような音声キーワードと操作状態の条件が満たされている場合、図４の処理選択情報５５のNO.９に相当するので、問合せメッセージを表示することなく、ドキュメントファイリングされたデータを読み出して、印刷処理を実行する。
ただし、画像形成装置の記憶部５０に、ドキュメントファイリングされた１つのデータが記憶されている場合に、印刷処理を実行する。
ドキュメントファイリングされたデータが複数存在する場合や、ドキュメントファイリングされたデータがない場合は、ユーザに、どのデータを印刷するのかを問い合わせるメッセージや、ドキュメントファイリングされたデータがないことを知らせるメッセージを表示することが好ましい。
【０１６５】
たとえば、「ドキュメントファイリングのデータを印刷して」というように発話された場合に、原稿が載置台に載置されていないことが検出され、USBメモリが接続されていないことが検出された場合は、記憶部５０にドキュメントファイリングされたデータが保存されていて、そのドキュメントファイリングされたデータを印刷することが、ユーザが意図した処理である可能性がかなり高いので、確認するメッセージを表示させるまでもなく、ドキュメントファイリングされたデータを読み出して、そのデータを印刷する処理を実行してもよいと考えられる。
【０１６６】
そこで、ドキュメントファイリングされたデータを印刷しようとしているのか否かをユーザに確認することなく、ドキュメントファイリングされたデータを印刷する処理を実行する。
すなわち、実施例１８の場合は、音声キーワードとして「ドキュメント」、「印刷」の２つのキーワードが取得され、画像形成装置の操作状態として、原稿無しとUSBメモリ無しが検出された状態で、記憶部５０からドキュメントファイリングされたデータを読み出して、所定の用紙に印刷する処理が実行される。
【０１６７】
ただし、ドキュメントファイリングされたデータが複数存在する場合であっても、ユーザが画像形成装置を利用するときに、ユーザ認証を要求して、ドキュメントファイリングされたデータも、ユーザごとに管理して記憶する場合には、ユーザ認証に成功したユーザのドキュメントファイリングデータのみを印刷するか、あるいは、ユーザ認証に成功したユーザのドキュメントファイリングデータのみの一覧を表示させて、ユーザに印刷するデータを選択させるメッセージを表示させることが好ましい。
【０１６８】
なお、上記に多数の実施例を示したが、これらに限るものではなく、他の音声キーワードと画像形成装置の操作状態との組合せによって、種々の実行すべき処理を選択することが可能である。
たとえば、実施例１８では、音声キーワードとして「ドキュメント」、「印刷」の２つのキーワードが取得され、画像形成装置の操作状態として、原稿無しとUSBメモリ無しが検出された状態を示したが、音声キーワードとして「ドキュメント」、「保存」の２つのキーワードが取得され、画像形成装置の操作状態として、原稿無しであるが、USBメモリが接続端子に接続されている状態の場合（USBメモリ有り）では、実行すべき処理として、記憶部５０からドキュメントファイリングされたデータを読み出して、USBメモリに保存する処理を選択するようにしてもよい。
【０１６９】
＜画像形成装置において実行すべき処理の選択と実行の説明＞
図１６に、入力音声と準備作業に対応して実行すべき処理を選択して実行する処理の一実施例のフローチャートを示す。
ここでは、入力された音声データを取得した場合に、音声認識をして、認識された認識音声情報からキーワードを取得し、準備作業に相当する特定操作の操作状態を確認した後、記憶部に予め記憶された処理選択情報５５を利用して、キーワードと特定操作の有無に対応した処理を選択して、選択された処理を実行するフローチャートを説明する。
実行すべき処理として表示が選択された場合は、所定の問合せメッセージを表示した後、ユーザが入力操作をすることによって確定した処理を実行する。
また、準備作業に相当する特定操作の操作状態として、ここでも、原稿の有無と、USBメモリの有無のチェックを行うものとする。
【０１７０】
図１６のステップS1において、制御部１１が、音声入力部（マイク）２１から、音声が入力されるか否かをチェックする。
ステップS2において、音声が入力された場合、ステップS3に進み、そうでない場合は、ステップS1に戻る。
【０１７１】
ステップS3において、入力された音声（入力音声データ５１）を取得し、記憶する。
ステップS4において、音声認識部２２が、入力音声データ５１を解析し、音声認識を行い、音声を文字に変換した認識音声情報５２を取得し、記憶する。
ステップS5において、キーワード取得部２３が、認識音声情報５２から、キーワードを取得し、記憶する。
たとえば、上記したように、予め記憶された予約単語に一致する単語が、認識音声情報５２に含まれている場合、その予約単語を、取得キーワード５３として記憶する。
【０１７２】
ステップS6において、準備作業に相当する特定操作の有無をチェックする。
たとえば、原稿の有無と、USBメモリの有無のチェックを行う。
原稿が載置台に載置されている場合は、原稿検出有りであり、原稿が載置台に載置されていない場合は、原稿検出無しである。
USBメモリが、USB接続端子に接続されている場合は、USBメモリ検出有りであり、USBメモリが、USB接続端子に接続されていない場合は、USBメモリ検出無しである。
【０１７３】
ステップS7において、原稿検出有りの場合、ステップS8に進み、そうでない場合は、ステップS9に進む。
ステップS8において、USBメモリ検出有りの場合、ステップS10に進み、そうでない場合は、ステップS11に進む。
ステップS9において、USBメモリ検出有りの場合、ステップS12に進み、そうでない場合は、ステップS13に進む。
【０１７４】
ステップS10からステップS13では、処理選択情報５５を利用して、取得されたキーワードと、特定操作の有無に対応した処理を選択する。
ステップS10は、原稿検出有りとUSBメモリ検出有りの場合であり、処理選択情報５５を利用して、取得されたキーワードと、原稿検出有りと、USBメモリ検出有りに対応付けられた処理を選択する。
ステップS11は、原稿検出有りとUSBメモリ検出無しの場合であり、処理選択情報５５を利用して、取得されたキーワードと、原稿検出有りと、USBメモリ検出無しに対応付けられた処理を選択する。
【０１７５】
ステップS12は、原稿検出無しとUSBメモリ検出有りの場合であり、処理選択情報５５を利用して、取得されたキーワードと、原稿検出無しと、USBメモリ検出有りに対応付けられた処理を選択する。
ステップS13は、原稿検出無しとUSBメモリ検出無しの場合であり、処理選択情報５５を利用して、取得されたキーワードと、原稿検出無しと、USBメモリ検出無しに対応付けられた処理を選択する。
ステップS10からステップS13のいずれかの選択処理をした後、ステップS14に進む。
【０１７６】
なお、図１６のフローチャートには示していないが、処理選択情報５５に、対応付けられた処理が設定されていない場合は、ユーザが実行したい処理が不明であるので、たとえば、入力された音声に対応した処理が不明であることや、音声入力をやり直すべきことを、表示画面に表示して、ユーザに再度音声を入力してもらうか、所望の処理を実行させるための入力操作をしてもらうようにしてもよい。
【０１７７】
ステップS14において、ステップS10からステップS13のいずれかの選択処理で、表示が選択されている場合、処理選択情報５５の表示に対応付けられている問合せメッセージを、表示画面に表示させる。
表示された問合せメッセージを確認したユーザが、その後の処理を選択する入力操作をした場合、選択された処理を実行して、処理を終了する。
あるいは、ステップS10からステップS13のいずれかの選択処理で、表示が選択されておらず、処理選択情報５５の実行すべき処理内容として、表示以外の処理が選択されている場合は、その選択された処理を実行して、処理を終了する。
【０１７８】
この発明では、以上のように、ユーザによる音声入力と、ユーザの準備作業に相当する特定操作に対応して、適切な異なる処理を容易に実行させることができる。
特に、同じ音声が入力された場合であっても、ユーザの準備作業が異なれば、異なる処理を実行させることができる。
【０１７９】
また、音声入力と、画像形成装置を利用するユーザが画像形成装置に対して通常行う操作、たとえば、原稿を載置台に置く操作やUSBメモリを接続する操作をすることによって、ユーザが意図した処理を実行できるので、多機能な画像形成装置において操作部１２を用いた複雑な入力操作を簡略化することができ、ユーザの入力作業の容易化と時間短縮をすることができ、ユーザの入力作業の負担を軽減することができる。
【符号の説明】
【０１８０】
１  画像形成装置（ＭＦＰ）、
１１  制御部、
１２  操作部、
１３  表示部、
１４  通信部、
１５  画像処理部、
２１  音声入力部、
２２  音声認識部、
２３  キーワード取得部、
２４  原稿検出部、
２５  外部メモリ検出部、
２６  処理選択部、
２７  処理実行部、
３０  準備作業検出部
５０  記憶部、
５１  入力音声データ、
５２  認識音声情報、
５３  取得キーワード、
５４  表示画面情報、
５５  処理選択情報
【図１】
2020123905.tif 000003
【図２】
2020123905.tif 000004
【図３】
2020123905.tif 000005
【図４】
2020123905.tif 000006
【図５】
2020123905.tif 000007
【図６】
2020123905.tif 000008
【図７】
2020123905.tif 000009
【図８】
2020123905.tif 000010
【図９】
2020123905.tif 000011
【図１０】
2020123905.tif 000012
【図１１】
2020123905.tif 000013
【図１２】
2020123905.tif 000014
【図１３】
2020123905.tif 000015
【図１４】
2020123905.tif 000016
【図１５】
2020123905.tif 000017
【図１６】
2020123905.tif 000018